(57)【要約】液体を収容する液体用リザーバ（３）と、液体を媒体（８）上に離れて噴霧する働きをする、液体を噴霧する液体噴霧ヘッド（４１）と、噴霧ヘッドを作動させる働きをするプロセッサユニット（６）とを有している筆記用具。筆記用具は、噴霧ヘッドと媒体との間の距離を計測する計測手段（１２）と、噴霧ヘッドの媒体に対する動きを検出する検出手段（１４）とをさらに有していて、プロセッサユニットは、計測手段が噴霧ヘッドと媒体との間の距離が所定の最大値よりも短くなったことを検出し、同時に、動き検出手段（１４）が噴霧ヘッドの媒体に対する動きを検出したときに、液体噴霧ヘッド（４１）を作動させるように構成されている。
2005531436.tif 000002
【特許請求の範囲】
【請求項１】
液体用リザーバ（３）と、
前記液体用リザーバ（３）に接続され、液体を媒体（８）上にある距離から噴霧する働きをする液体噴霧ヘッド（４１）を有している液体噴霧装置（４）と、
前記噴霧ヘッド（４１）が液体を前記媒体（８）上にある距離から噴霧できるように前記液体噴霧装置（４）を作動させる働きをするプロセッサユニット（６）と、
を有し、第１の端部（２ａ）と第２の端部（２ｂ）との間を延びていて使用者の手の中で保持されるように構成されている実質的に筒状の部品（２）を有している筆記用具において、
前記筒状部品が、
該筆記用具（１）と前記媒体（８）との間の物理的接触なしに、前記噴霧ヘッド（４１）と前記媒体（８）との間の距離を計測するように作動する、前記プロセッサユニット（６）に接続されている計測手段（１２）と、
前記噴霧ヘッド（４１）の動きを検出する、前記プロセッサユニットに接続されている動き検出手段（１４；６、１２）と、
をさらに有していること、
前記プロセッサユニット（６）は、前記計測手段（１２）が前記噴霧ヘッド（４１）と前記媒体（８）との間の距離が所定の最大値よりも短いと判断し、同時に、前記動き検出手段（１４；６、１２）が前記噴霧ヘッド（４１）の動きを検出したときに前記液体噴霧装置（４）を作動させるように構成されていること、
を特徴とする筆記用具。
【請求項２】
前記プロセッサユニット（６）は、前記計測手段（１２）が前記噴霧ヘッド（４１）と前記媒体（８）との距離が、所定の最小値と前記所定の最大値とによって決まる範囲内にあると判断し、同時に、前記動き検出手段（１４；６、１２）が前記噴霧ヘッド（４１）の動きを検出したときに前記液体噴霧装置（４）が作動させるように構成されている、請求項１に記載の用具。
【請求項３】
前記計測手段（１２）は、前記噴霧ヘッドと前記媒体との間の距離を計測する働きをする光学系（１３）を有している、請求項１または２に記載の用具。
【請求項４】
前記動き検出手段は、前記光学系（１３）と、前記噴霧ヘッド（４１）の前記媒体（８）に対する変位を、前記光学系（１３）によって計測された距離の関数として、検出する前記プロセッサユニット（６）によって構成されている、請求項３に記載の用具。
【請求項５】
前記計測手段（１２）は、前記噴射ヘッド（４１）と前記媒体（８）との間の距離を計測する働きをする超音波音響プローブを有している、請求項１または２に記載の用具。
【請求項６】
前記動き検出手段は、前記音響プローブと、前記噴霧ヘッド（４１）の前記媒体（８）に対する変位を、前記音響プローブによって計測された距離の関数として、検出する前記プロセッサユニット（６）によって構成されている、請求項５に記載の用具。
【請求項７】
前記動き検出手段は加速度計（１４）を有している、請求項３または請求項５に記載の用具。
【請求項８】
前記筒状部品（２）は、電源（１０）と、前記電源（１０）に接続されているスイッチオン手段（１１）を含み、前記スイッチオン手段は、前記液体噴霧装置（４）、前記プロセッサユニット（６）、前記計測手段（１２）、および前記動き検出手段（１４；６、１２）をオンに切り替える目的で使用者が作動させることができる、請求項１から７のいずれかに記載の用具。
【請求項９】
前記筒状部品（２）は、液体噴霧が前記媒体（８）上の衝突する点を示すように、可視光のスポットを前記媒体上に出射する手段を有している、請求項１から８のいずれかに記載の用具。
【請求項１０】
前記液体噴霧ヘッド（４１）は、液体の小滴群（７）を噴霧する少なくとも１つの噴霧ノズル（４３）を有し、前記噴霧装置（４）は、前記噴霧ヘッド（４１）の前記少なくとも１つのノズル（４３）を作動させる電気信号発生器（４２）をさらに有している、請求項１から９のいずれかに記載の用具。
【請求項１１】
前記筒状部品（２）は、前記小滴群（７）の大きさを選択する選択手段（１５）が取り付けられている外側の壁（２２）を有し、前記選択手段（１５）は、前記噴霧装置（４）の前記電気信号発生器（４２）に接続されていて、前記少なくとも１つの噴霧ノズル（４３）を作動させる電気信号の周波数および／または振幅を変更する、請求項１０に記載の用具。
【請求項１２】
前記プロセッサユニット（６）は、前記計測手段（１２）が前記噴霧ヘッド（４１）と前記媒体（８）との間の距離が所定の最大値よりも短いことを検出し、同時に、前記動き検出手段（１４；６、１２）が前記噴霧ヘッド（４１）の動きを所定の時間間隔にわたって検出しなかったときに、使用者に対して警告信号を発する働きをする通信手段（１６）を作動させるように構成されている、請求項１から１１のいずれかに記載の用具。
【請求項１３】
前記液体噴霧装置（４）が第１の時間間隔の間作動していないときに、前記プロセッサユニット（６）は、警告信号を発する働きをする通信手段（１６）を第２の時間間隔の間作動させ、それから、前記計測手段（１２）が前記噴霧ヘッド（４１）と前記媒体（８）との間の距離が前記所定の最大値よりも再び短くなったことを検出し、同時に、前記動き検出手段が前記噴霧ヘッド（４１）の動きを再び検出したときに、前記液体噴霧装置（４）を作動させるように構成されている、請求項１から１２のいずれかに記載の用具。
【発明の詳細な説明】
【技術分野】
【０００１】
本発明は、インク等の液体の噴流を噴霧する筆記用具に関する。
【０００２】
本発明は、そのような筆記用具の中で、特に、
液体を収容する液体用リザーバと、
液体用リザーバに接続されていて、液体を媒体上にある距離から噴霧する働きをする液体噴霧ヘッドを有している、液体を噴霧する液体噴霧装置と、
噴霧ヘッドが液体を媒体上に噴霧できるように液体噴霧装置を作動させるプロセッサユニットと、
を有し、第１の端部と第２の端部との間を延びていて、使用者の手の中で保持されるように構成されている実質的に筒状の部品を有している筆記用具に関する。
【背景技術】
【０００３】
公知のこの種類の筆記用具では、筒状部品が一般にフィーラを有していて、フィーラは、筆記中に媒体と接触する働きをする第１の端部と、媒体と接触しているフィーラの動きを検出する動き検出機構に接続されている第２の端部とを有している。動き検出機構はプロセッサユニットに接続され、液体噴霧装置を作動可能にする。したがって、使用者が筆記用具を手に保持して、筆記用具を媒体の方へ移動させると、フィーラは媒体の表面に接触し、これによって検出機構が信号をプロセッサユニットに送信して液体を噴霧できるようにする。
【発明の開示】
【発明が解決しようとする課題】
【０００４】
そのため、筆記ヘッド、つまり、液体噴霧ヘッドは媒体に接触する必要はないものの、液体の噴霧を開始できるようにするには、筆記用具のフィーラが媒体に接触することが必須となる。フィーラを媒体と接触させることは、特に媒体がある程度粗いときには、使用者にとって不便である。
【０００５】
さらに、媒体と接触しているフィーラの端部は一般に、液体の噴霧が衝突する媒体上の点に近いため、筆記用具が正常に使用されている間に、フィーラのその端部が、液体が乾く前に液体に接触し、媒体上に液体の染みをつけるおそれが大きい。
【０００６】
最後に、液体の噴霧ヘッドよりも先に延びている必要のあるフィーラは、検出機構に修復不能な損傷を生じさせて筆記用具全体を動作不能にする原因となる急な衝撃を受ける可能性もある。
【０００７】
本発明の目的は、信頼性があり、単純で、使用者の筆記を快適にする筆記用具を提案することによって、前述の技術的問題を緩和することにある。
【課題を解決するための手段】
【０００８】
この目的のために、本発明は、
筒状部品が、
筆記用具と媒体との間の物理的接触なしに、噴霧ヘッドと媒体との間の距離を計測するように作動する、プロセッサユニットに接続されている計測手段と、
噴霧ヘッドの動きを検出する、プロセッサに接続されている動き検出手段と、
をさらに有していること、
プロセッサユニットは、計測手段が噴霧ヘッドと媒体との間の距離が所定の最大値よりも短いと判断し、同時に、動き検出手段が噴霧ヘッドの動きを検出したときに液体噴霧装置を作動させるように構成されていること、
を特徴とする筆記用具を提供する。
【０００９】
これらの方策によって、筆記用具は、液体が噴霧される媒体には、もはや接触することがなく、用具の使用者は、用具を動かしながら、媒体から適切な距離に用具を移動させるだけでインクの噴霧させる。したがって、液体噴霧の作動は、使用者が手を動かすことをやめ、それによって用具を動かすことをやめることによってか、筆記用具、より正確には液体噴霧ヘッドを媒体から離すことによって停止することができる。したがって、この筆記用具は、ボールペンやフェルトチップピンなどの従来の筆記用具について現在知られている状態に近い良好な状態で、しかし筆記媒体との物理的な接触は必要とせずに、液体を噴霧させたり噴霧を停止させることができる。
【００１０】
本発明の好適な実施態様では、以下の措置のいずれかがさらに使用される。
【００１１】
−プロセッサユニットは、計測手段が噴霧ヘッドと媒体との間の距離が所定の最小値と所定の最大値とによって決まる範囲にあると判断し、同時に、動き検出手段が噴霧ヘッドの動きを検出したときに液体噴霧装置を作動させるように構成されている。
【００１２】
−計測手段は、噴霧ヘッドと媒体との間の距離を計測する働きをする光学系を有している。
【００１３】
−動き検出手段は、光学系と、噴霧ヘッドの媒体に対する変位を、光学系によって計測された距離の関数として、検出するプロセッサユニットによって構成されている。
【００１４】
−計測手段は、噴霧ヘッドと媒体との間の距離を計測する働きをする超音波音響プローブを有している。
【００１５】
−動き検出手段は、音響プローブと、噴霧ヘッドの媒体に対する変位を、音響プローブによって計測された距離の関数として、検出するプロセッサユニットによって構成されている。
【００１６】
−動き検出手段は加速度計を有している。
【００１７】
−筒状部品は、電源と、電源に接続されているスイッチオン手段を含み、スイッチオン手段は、液体噴霧装置、プロセッサユニット、計測手段、および動き検出手段をオンに切り替える目的で使用者が作動させることができる。
【００１８】
−筒状部品は、液体噴霧が媒体上の衝突する点を示すように、可視光のスポットを媒体上に出射する手段を有している。
【００１９】
−液体噴霧ヘッドは、液体の小滴群を噴霧する少なくとも１つの噴霧ノズルを有していて、噴霧装置は、噴霧ヘッドの少なくとも１つのノズルを作動させる電気信号発生器をさらに有している。
【００２０】
−筒状部品は、小滴群の大きさを選択する選択手段が取り付けられている外側の壁を有し、選択手段は、噴霧装置の電気信号発生器に接続されていて、前記少なくとも１つの噴霧ノズルを作動させる電気信号の周波数および／または振幅を変更する。
【００２１】
−プロセッサユニットは、計測手段が噴霧ヘッドと媒体との間の距離が所定の最大値よりも短いことを検出し、同時に、動き検出手段が、噴霧ヘッドの動きを所定の時間間隔にわたって検出しなかったときに、使用者に対して警告信号を発する働きをする通信手段を作動させるように構成されている。
【００２２】
−液体噴霧装置が第１の時間間隔の間作動していないときに、プロセッサユニットは、警告信号を発する働きをする通信手段を第２の時間間隔の間作動させ、それから、前記計測手段が噴霧ヘッドと媒体との間の距離が所定の最大値よりも再び短くなったことを検出し、同時に、動き検出手段が噴霧ヘッドの動きを再び検出したときに、液体噴霧装置を作動させるように構成されている。
【発明を実施するための最良の形態】
【００２３】
本発明の他の特徴と利点は、限定を目的としない例として示した本発明の実施形態の以下の説明を添付の図面を参照して読むことによって明らかになる。
【００２４】
図では、同一または同様な要素には同じ参照番号を付している。
【００２５】
図１は、第１の端部２ａと第２の端部２ｂとの間を延びている、実質的に筒状の部品２を有している筆記用具１を示している。筒状部品２は、中空の内部空間を定めている内側の壁２１と、使用者の手の中で保持されるように構成されている外側の壁２２を有している。
【００２６】
筒状部品２の内側の壁２１によって定められている中空の内部空間は、液体用リザーバ３と、リザーバ３に直接付属し、されている、液体を噴霧する噴霧装置４を収容している。液体用リザーバ３は、液体を使い切ったときに別のリザーバに交換できるように筒状部品２内の中空の内部空間内に取り外し可能に取り付けられている。リザーバに収容されている液体は、用具の用途に応じて、インク、用具が修正器として使用される場合にはインク消し用液体、つまりインクマスク用液体、あるいは用具が接着剤の塗布器、つまり噴霧器として使用される場合には実際に接着剤とすることができる。噴霧装置４は、流路３１を介して液体用リザーバ３に直接接続されている液体噴霧ヘッド４１と、この噴霧ヘッド４１の作動または停止を制御する働きをする電気信号発生器４２によって構成されている。
【００２７】
ここで考えている例では、噴霧ヘッド４１は、筒状部品２の端部２ａに配置されている噴霧ノズル４３を含む圧電式噴霧ヘッドである。筒状部品の端部２ａは、筒状部品２の中央部分の内側の壁２２に直接嵌め込まれている端部片によって構成されていてもよい。端部片２ａは、噴霧ヘッド４１のノズル４３が内部に設けられている端部オリフィスを備えている。噴霧ノズル４３は、端部片２ａ上に、固定されていても、筆記用具が使用されていないときにノズルが破損するおそれのないようにノズルを端部片の内部に受け入れる適切な機構によって引き込み可能に取り付けられていてもよい。噴霧ヘッド４１は、それ自体が既知の方法によって、発生器４２からの電気信号が作用したときに変形して、噴霧ノズル４３の位置に微細な小滴７を形成するように構成されている圧電素子を含んでおり、微細な液滴は媒体８上に噴霧される。
【００２８】
液体噴霧装置４は、リザーバ３からのわずかな量のインクを収容している少なくとも１つの細い通路に配置されている少なくとも１つの抵抗式の加熱素子が取り付けられている、たとえばガラス製の基板によって構成されていてもよい。したがって、電気信号が発生器４１から抵抗素子に加えられると、素子の温度が直ちに上昇して、インク内に蒸気の泡を形成し、その泡が液体の細かい液滴７を媒体８上に噴射する。
【００２９】
液体噴霧装置４は、空気膨張機構、および液体のカートリッジと連動する働きをする、少なくとも１つの圧縮気体のカートリッジで構成されていてもよい。膨張機構は、カートリッジ内に収容されている気体を加圧された副室内に解放する働きをするパンチと、液体用リザーバ３にも接続されているノズルへの気体の流速を制御する複数の弁を有していてもよい。
【００３０】
筆記用具は、電気信号（つまり電気パルス）発生器４２を作動させて、噴霧装置の噴霧ノズル４３が液滴７を媒体８上に離れて噴霧できるようにする働きをするプロセッサユニット６も有している。円筒状部品２内の中空の内部空間は、筆記用具を構成しているさまざまな電気部品をスイッチ１１によってオンに切り替えることができるようにする、たとえば、電池、つまり実際にはオプションで充電可能な２本の電池によって構成されている電源も、その端部２ｂに収容し、スイッチ１１は、特に、筒状部品２が使用者の手の中に保持されていることを検出する手段によって作動させることが可能な、筒状部品２の外側の壁２２に設けられ、使用者が用具を保持したときに圧力を検出する働きをする容量性のセンサなどの、用具の使用者が作動させることが可能な、任意のスイッチ-オン手段に置き換えられてもよい。
【００３１】
例として、筒状部品２の端部２ｂは、消耗した２つの電池１０を新しい電池に交換できるように、筒状部品２の中央部分に取り外し可能に取り付けられているキャップ状であってもよい。
【００３２】
筒状部品２は、筆記用具と媒体８との物理的接触なしに噴霧ヘッド４１と媒体８との間の距離を計測する計測手段１２も端部２ａの位置に有している。より正確には、計測手段１２は、噴霧ノズル４３と媒体８との間の距離を計測するように構成されている。
【００３３】
本実施形態では、計測手段１２は、たとえば、入射光ビームＦＩを媒体８に向けて放射して、反射光ビームＦＲを発生させると共に光のスポットを媒体８上に形成する赤外線発光ダイオード（ＬＥＤ）１３ａを有している光学系１３によって構成されている。光のスポットと反射光ビームは次に、入射ビームＦＩの媒体８に対する傾きの角度を求めるように光ダイオード１３ｂによって分析される。
【００３４】
光ダイオード１３ｂと赤外線ＬＥＤ１３ａとの間の距離は既知であり、入射光ビームＦＩの傾きの角度が求められているので、赤外線ＬＥＤと媒体８との間の距離を求めるには、三角法の簡単な関係を使用するだけでよい。フォトダイオードは、ＨＡＭＡＭＡＴＳＵ（登録商標）の下で販売されているＳ６５６０フォトダイオードによって構成されてもよい。
【００３５】
光学系１３によって出力された入射光ビームＦＩは、液体の小滴が噴霧される方向と実質的に同じ方向を向いている。ここで考えている例では、入射光ビームのこの方向は、筒状部品２の長さ方向の軸心と実質的に一致している。したがって、噴霧ノズル４３と媒体との間の計測された距離は、液滴がノズル４３から媒体８まで沿う経路にも対応している。
【００３６】
他の変形例では、光学系１３は、対称の軸線が筒状部品２の長さ方向の軸線に一致している円錐状の光ビームを出射する手段も有していてもよい。光学系は、さらに、円錐状ビームによって形成されている、媒体８上の光のスポットの半径を求めるように構成されているセンサを有している。光スポットの半径は、媒体８と、円錐状ビームを出射する出射手段との間の距離に比例しているので、出射手段と媒体との間の距離を比例による方法で計測することができる。同様に、円錐状ビームの対称の軸線が媒体に対して傾いている場合、媒体上に形成されている光スポットは円形ではなく、むしろ楕円形となり、センサは、媒体と、円錐状ビームを出射する出射手段との間の距離を計測するために、楕円形スポットの短軸の長さを計測するようにも構成されている。この場合、筆記用具の傾きにかかわらず、楕円形スポットの短軸の長さは、出射手段と媒体との間の距離にだけ比例していて、楕円形スポットの長軸の長さだけ円錐状ビームの傾き角度に比例するのである。
【００３７】
変形例では、計測手段１２は、超音波音響プローブによって構成されていてもよい。その場合、ノズル４３と媒体８との間で計測された距離は、筆記用具の媒体８に対する傾き角度には無関係にノズル４３と媒体８との間の最短距離に対応している。
【００３８】
図１と２を参照するとわかるように、計測手段１２を構成している光学系１３は、光学系１３によって得られた計測値を保存するプロセッサユニット６に直接接続されている。プロセッサユニットは、光学系１３に所定の時間間隔で反復計測を実行させるように構成されていてもよい。そのような時間間隔は、たとえば１ミリ秒（ｍｓ）から０．１秒（ｓ）の範囲とすることができる。
【００３９】
筒状部品２は、噴霧ヘッド４１の媒体８に対する動きを検出する動き検出手段１４も有している。
【００４０】
本実施形態では、動き検出手段１４は、プロセッサユニット６に直接接続されている加速時計の形態であってもよい。動き検出手段１４は、ジャイロスコープの形態であってもよい。
【００４１】
筆記用具の動作を図１と２を参照して以下に説明する。
【００４２】
使用者が筆記用具１を使用して媒体２上で筆記をしたいと思う場合、使用者はスイッチ１１を作動させて、筆記用具のさまざまな電気部品をまずオンに切り替える。
【００４３】
使用者は次に、光学系１３によって構成されている計測手段が自動的にそして媒体８と物理的接触せずに、噴霧ノズル４３と媒体８との間の距離を求めるように、筆記用具の端部を媒体８に向けて持ち上げる。同様に、筆記用具の媒体８に向けての動きが、検出信号をプロセッサユニット６に直接伝える加速度計１４によって検出される。
【００４４】
処理ユニット６は、動き検出手段１４が筆記用具の動きを検出し、同時に、光学系１３によって構成されている計測手段１２が噴霧ノズル４３と媒体８との間の距離が所定の最大値よりも短いことを検出した時にだけ液体噴霧装置４を作動させ、したがって液滴７を媒体８上に噴霧させるように構成されている。
【００４５】
所定の最大値は、たとえば約１センチメートル（ｃｍ）であってもよい。
【００４６】
したがって、計測手段１２がノズル４３と媒体８との間の距離が所定の最大値よりも長いことを検出し、同時に検出手段が筆記用具の動きを検出したときには、プロセッサユニット６は噴霧装置を作動させず、媒体８上に液滴が噴霧されることはない。
【００４７】
同様に、ノズル４３が媒体から適切な距離、つまり、所定の最大値よりも短い距離に位置していても、筆記用具が動いていないときには、プロセッサユニット６は、液滴を噴霧させることはない。
【００４８】
変形例では、プロセッサユニット６は、確実に液体７の液滴が媒体上に正しく噴霧されるように、噴霧ノズル４３が媒体８に近づき過ぎたときに液体噴霧装置の作動を停止するように構成されていてもよい。その場合、プロセッサユニット６は、加速度計１４が筆記用具の媒体に対する動きを検出していて、同時に、光学系１３が噴霧ノズル４３と媒体８との間の距離が、所定の最小値と所定の最大値とによって定まる値の範囲にあることを検出している間だけ液体噴霧装置を作動させる。
【００４９】
筆記用具の筒状部品２は、媒体８上に付着した連続した液滴によって形成された線分の太さを変更したり修正するように液滴７の大きさを選択する選択手段１５をも外側の壁２２上に備えていてよい。選択手段１５は、特に、ボタンの形状、たとえば、３つの異なる線太さが得られることができるようにする３つの位置を有しているボタンの形状であってもよい。位置が選択可能なボタン１５は、液体噴霧ヘッド４１に直接送られる電気信号の周波数および／または振幅を所定の方法で変更し、それによって媒体８上に噴霧される液滴７の大きさと頻度の両方をそれに比例して変更する噴霧装置４の電気信号発生器４２に直接接続されている。
【００５０】
同様に、筆記が使用者にとってより快適になるように、光学系１３はインク噴霧ヘッド４１と媒体８との間の距離が所定の最大値よりも短いことを検出していて、同時に、動き検出手段１４が噴霧ヘッド４１の媒体８に対する動きを所定の時間間隔にわたって検出していないときに、警告信号を発する働きをする通信手段１６を作動させるようにプロセッサユニット６が構成されていてもよい。たとえば、通信手段１６は可視光信号出力器の形態または可聴音信号出力器の形態であってよく、これにより、液体噴霧ヘッド４１、より正確には噴霧ノズル４３が、電気信号発生器４２を作動させるのに適している媒体からの位置にあること、そして、筆記用具のどのような動きによって（たとえ不測の動きによっても）噴霧装置４が作動させられて液体の液滴が媒体８上に噴霧されることを使用者に通知することができる。
【００５１】
同様に、筆記が使用者にとってより快適になるように、液体噴霧装置４が所与の時間間隔（たとえば３０秒か１分）作動しなかった後、同時に計測手段１２が噴霧ヘッド４１と媒体８との間が適切な距離にあることを再度検出したときに、同時に動き検出手段が筆記用具の動きを再度検出する通信手段１６を作動させて警告信号を発するようにプロセッサユニット６は構成されていてもよい。その場合、プロセッサユニットは、液体噴霧が差し迫っていることを使用者に警告するように、たとえば２秒間通信手段を作動させ、２秒間の時間の経過後すぐにプロセッサユニット６は液体噴霧装置４を作動させる。
【００５２】
図３に示している本発明の他の実施形態では、筆記用具の動きを検出する動き検出手段は、加速時計またはジャイロスコープによって構成されてはおらず、むしろ噴霧ノズル４３と媒体８との距離を求める働きもするプロセッサユニット６または計測装置１２によって直接構成されている。
【００５３】
前述したように、プロセッサユニット６は、計測手段１２に非常に短い時間間隔で計測を反復するように要求することができる。この場合、プロセッサユニット６は、したがって、噴霧ヘッド４３の媒体８に対する変位を、計測手段１２によって決められた時間間隔で計測された２つの距離の関数として検出することができる。このような相対的な変位は、噴霧ヘッド４１が媒体８の平面に対して厳密に平行な面内で変位していない時にだけ検出される。しかし、通常の使用者が筆記用具を使用して筆記するときには、その使用者は筆記ヘッドに対して知覚できないわずかな震えを自然に伝え、このような微小な震えは、計測手段１２とプロセッサユニット６によって動きとして自動的に検知される。噴霧ノズル４３が媒体８に対する適切な位置に来るとすぐに、プロセッサユニット６は、離れて液体を噴霧するように噴霧装置を作動させる。
【００５４】
計測手段１２は、実施形態に応じて、光学系１３または超音波音響プローブによって構成されていてもよい。
【００５５】
計測手段１２が超音波プローブによって構成されているときには、筒状部品２の端部２ａには、液滴７が媒体上に衝突する点を示す働きをある可視光スポットを媒体８上に出射する手段が備えられている。
【図面の簡単な説明】
【００５６】
【図１】本発明の第１の実施形態の筆記用具の概略の断面図である。
【図２】本発明の筆記用具の様々な構成部品のブロック図である。
【図３】筆記用具の第２の実施形態の断面図である。
【図１】
2005531436.tif 000003
【図２】
2005531436.tif 000004
【図３】
2005531436.tif 000005
【国際調査報告】
2005531436.tif 000006
2005531436.tif 000007
2005531436.tif 000008
2005531436.tif 000009
2005531436.tif 000010
2005531436.tif 000011